(57)【特許請求の範囲】
【請求項１】
吸込口と吹出口とを結ぶ空気通路に、熱交換器と送風ファンとを設け、前記吹出口に、少なくとも一枚の上下風向板と、左右風向板群とを回動自在に軸支してなる空気調和機において、
前記吹出口の上面後部に第一係止片を立設し、上面前部に取付孔を備えた第二係止片を垂下する一方、これら第一係止片および第二係止片に夫々対応する係止部およびねじ孔を備えた支持板を設けると共に、同支持板に設けた複数の透孔により回動自在に軸支される軸孔を備えた筒状の支軸部と、同支軸部から水平状に延出したアームと、同アームの上部に立設した連結ピンと、同連結ピンの上端に対向して設けられた保持手段と、前記連結ピンの側面に対向して前記支軸部に突設されたストッパとからなるブッシュを設け、同ブッシュを、前記連結ピンに対応する連結孔を有し、前記ストッパに対向して前記ブッシュの回動角を規制する略凹状の規制片を有し、相互に接続する接続手段を有して第一ロッドと第二ロッドとに分割されたロッドにより連結すると共に、同ロッドを前記保持手段により保持し、前記左右風向板群の支軸に、同支軸を前記ブッシュの軸孔に挿脱可能に係止する係止手段を設けて挿入係止し、前記左右風向板群を駆動する駆動モータの駆動軸と前記第一ロッドとを、前記駆動軸に対応する駆動軸孔を有した基端部と、前記第一ロッドの連係孔に対応する連係ピンを有した先端部と、同先端部側を開口してコ字状に形成した収容部とからなる駆動リンクにより、前記第一ロッドに設けた突片を前記収容部に摺動可能に収容して連係し、前記第一係止片に前記係止部を係止し、前記第二係止片の取付孔を挿通したねじにより前記ねじ孔に螺着して前記支持板を前記吹出口に固定し、
前記ブッシュおよび前記ロッドを、前記吹出口の上面と前記支持板との間に収容したことを特徴とする空気調和機。
【請求項２】
前記軸孔および前記支軸に、少なくとも一つの平坦部を設けて嵌合したことを特徴とする請求項１記載の空気調和機。
【請求項３】
前記駆動軸孔および前記駆動軸に、少なくとも一つの平坦部を設けて嵌合したことを特徴とする請求項１記載の空気調和機。
【請求項４】
前記第一係止片に対応する前記係止部を凸状に形成し、前記第二係止片の取付孔に対応する前記ねじ孔を略水平状に穿設し、前記第一係止片に前記凸状の係止部を係止し、前記取付孔を挿通したねじを前記ねじ孔に螺着して前記支持板を前記吹出口に固定するようにしたことを特徴とする請求項１記載の空気調和機。
【請求項５】
前記接続手段が、前記第一ロッドの先端部下面に突出させた接続片と、前記第二ロッドの一端に設けられて前記第一ロッドの先端部をほぼ面一状に収容し、前記接続片に対応する接続孔を備え、上下面がほぼ平行な弾性を有する略Ｕ字状断面の収容部とからなり、同収容部に、同収容部の一部を弾性変形させながら前記第一ロッドの先端部を収容し、前記接続片を前記接続孔に挿入して前記第一ロッドと前記第二ロッドとを接続するようにしたことを特徴とする請求項１記載の空気調和機。
【請求項６】
前記接続片を略矩形状に形成する一方、同接続片に対応して、前記接続孔を略矩形状に形成したことを特徴とする請求項５記載の空気調和機。
【請求項７】
前記収容部の上下面を、下面に比して上面を薄肉状に形成したことを特徴とする請求項５記載の空気調和機。
【請求項８】
前記第一ロッドの先端部上面の一側に、先端を低くした傾斜面を形成したことを特徴とする請求項５または請求項７記載の空気調和機。
【請求項９】
前記第一ロッドの先端部の他側に、前記収容部下面の他側に当接するフランジを垂下したことを特徴とする請求項５、請求項７または請求項８記載の空気調和機。
【請求項１０】
前記規制片と前記接続片と前記フランジとを前記第一ロッドと一体的に形成し、前記規制片と前記収容部とを前記第二ロッドと一体的に形成したことを特徴とする請求項１、請求項５乃至請求項９記載の空気調和機。
【請求項１１】
前記保持手段が、前記アームの先端部を延出して、同アームの上部にほぼ平行に折曲形成した弾性を有する保持片からなり、同保持片を弾性変形させながら前記第一ロッドおよび前記第二ロッドを収容し、前記アームと前記保持片とで摺動自在に挟持して保持するようにしたことを特徴とする請求項１記載の空気調和機。
【請求項１２】
前記保持片に、前記連結ピンの先端に対向する貫通孔を設け、同貫通孔に前記連結ピンを挿入し、同連結ピンの先端が前記保持片の上面とほぼ面一になる高さに形成したことを特徴とする請求項１または請求項１１記載の空気調和機。
【請求項１３】
前記貫通孔を、前記連結ピンとの間に隙間を有する大径で形成したことを特徴とする請求項１２記載の空気調和機。
【請求項１４】
前記アームと前記連結ピンと前記ストッパと前記保持片とを、弾性を有し潤滑剤を含有した合成樹脂により前記ブッシュと一体的に形成したことを特徴とする請求項１、請求項１２または請求項１３記載の空気調和機。
【請求項１５】
前記駆動リンクの収容部を、前記連係ピンと前記駆動軸孔との間に設け、前記第一ロッドおよび前記駆動リンクを長手方向に位置合わせし重合して前記連係ピンを前記連係孔に挿通し、同連係孔を中心に前記駆動リンクを回動して前記突片を前記収容部に収容するようにしたことを特徴とする請求項１記載の空気調和機。
【請求項１６】
前記係止手段が、前記左右風向板群の支軸の先端部に、同支軸に比して大径で形成した傘状断面の頭部と、同頭部および前記支軸に、上部を開口して形成した略Ｕ字状のスリットとからなり、同スリットの少なくとも一側に上端を拡開にした傾斜部を設けたことを特徴とする請求項１記載の空気調和機。
【請求項１７】
前記頭部の周縁から係止爪を垂下する一方、同係止爪に対応して前記ブッシュの軸孔の周縁に段部を設け、同段部に前記係止爪を係止するようにしたことを特徴とする請求項１または請求項１６記載の空気調和機。
【請求項１８】
前記傾斜部を前記スリットの両側面に設けるとともに、同両傾斜部をほぼ平行にして、前記スリットの内面に対し傾斜させたことを特徴とする請求項１６記載の空気調和機。
【発明の詳細な説明】
【０００１】
【発明の属する技術分野】
本発明は、空気調和機に係わり、より詳細には、左右風向板群を回動自在に軸支するブッシュと、同左右風向板群を連結して駆動モータに連係するロッドとを吹出口に突出させることなく容易に組立できるようにし、前記駆動モータおよび前記ロッドを容易に且つ正確に連係できるようにし、また、前記ロッドを二分割し容易に組立できるようにして、製作、搬送および保管の管理等を容易にし、更に、前記ブッシュの軸孔に前記左右風向板群の支軸を容易に、且つ正確に挿入係止できるようにした構造に関する。
【０００２】
【従来の技術】
従来の空気調和機は、例えば図10（Ａ）および図10（Ｂ）と、図11とで示すように、本体１内の吸込口２と吹出口５とを結ぶ空気通路に、熱交換器３と送風ファン４とを設け、前記吹出口５の上面5aから垂下した支軸部で、上下および前後に支軸7aおよび8aを離間した二枚の上下風向板７および８を回動自在に軸支し、前記上面5aに設けた支軸孔5bでブッシュ９を保持し、同ブッシュ９により、左右風向板群６に設けられスリット6bを有する頭部付の支軸6aで回動自在に軸支し、前記左右風向板群６に設けられた連結ピン6cで連結板10を連結し、同連結板10により前記左右風向板群６を連動させてなる構成であった。
【０００３】
前記構成で、前記吸込口２から吸い込んだ空気を前記熱交換器３で熱交換し、前記左右風向板群６で左右方向の風向を調節し、前記上下風向板７および８で上下方向の風向を調節し、前記送風ファン４により前記吹出口５から室内に送出して空気調和を行っていた。
【０００４】
しかしながら、前記構成においては、前記連結ピン6cおよび前記連結板10が前記吹出口５に突出した構造であることから、同吹出口５において、前記連結ピン6cおよび前記連結板10による空気抵抗が生じて送風の効率が低下したり、騒音の原因になったり、または、露付の原因になってしまうなどの問題を有していた。
【０００５】
また、前記左右風向板群６を駆動モータ（図示せず）により駆動するようにした場合、図10で示すように、同駆動モータの駆動軸を嵌合する駆動軸孔14c を基端部に備え、先端部に連係ピン14a を備えた駆動リンク14によって、前記駆動モータの駆動軸と前記ブッシュ９に連係するために設けられ、前記連係ピン14a をスリット13c を有する連係孔13a を備えたロッド13に連係して前記左右風向板群６を駆動し回動していたが、前記連係ピン14a が前記連係孔13a のスリット13c から離脱してしまうという問題を有していた。
また、ブッシュ９の軸孔に前記左右風向板群６の頭部付の支軸6aを挿入係止する際、前記支軸6aを弾性変形させた時に前記スリット6bの上端が相互に干渉するため、前記支軸6aの頭部の外形を大きく形成して正確に挿入係止することができにくいという問題を有していた。
【０００６】
更に、前記ロッド13は、前記ブッシュ９を連結して前記左右風向板群６を回動する構成となり、同左右風向板群６および前記ブッシュ９が配設された前記吹出口５のほぼ全幅にわたる長さで製作する必要があることから、製作するための金型が高価なものになって、搬送や保管等の管理が容易でないという問題を有していた。
【０００７】
【発明が解決しようとする課題】
本発明においては、上記の問題点に鑑み、左右風向板群を回動自在に軸支するブッシュと、同左右風向板群を連結して駆動モータに連係するロッドとを吹出口に突出させることなく容易に組立できるようにし、前記駆動モータおよび前記ロッドを容易に且つ正確に連係できるようにし、また、前記ロッドを二分割し容易に組立できるようにして、製作、搬送および保管の管理等を容易にし、更に、前記ブッシュの軸孔に前記左右風向板群の支軸を容易に、且つ正確に挿入係止できるようにした空気調和機を提供することを目的とする。
【０００８】
【課題を解決するための手段】
本発明は、上記課題を解決するため、吸込口と吹出口とを結ぶ空気通路に、熱交換器と送風ファンとを設け、前記吹出口に、少なくとも一枚の上下風向板と、左右風向板群とを回動自在に軸支してなる空気調和機において、
前記吹出口の上面後部に第一係止片を立設し、上面前部に取付孔を備えた第二係止片を垂下する一方、これら第一係止片および第二係止片に夫々対応する係止部およびねじ孔を備えた支持板を設けると共に、同支持板に設けた複数の透孔により回動自在に軸支される軸孔を備えた筒状の支軸部と、同支軸部から水平状に延出したアームと、同アームの上部に立設した連結ピンと、同連結ピンの上端に対向して設けられた保持手段と、前記連結ピンの側面に対向して前記支軸部に突設されたストッパとからなるブッシュを設け、同ブッシュを、前記連結ピンに対応する連結孔を有し、前記ストッパに対向して前記ブッシュの回動角を規制する略凹状の規制片を有し、相互に接続する接続手段を有して第一ロッドと第二ロッドとに分割されたロッドにより連結すると共に、同ロッドを前記保持手段により保持し、前記左右風向板群の支軸に、同支軸を前記ブッシュの軸孔に挿脱可能に係止する係止手段を設けて挿入係止し、前記左右風向板群を駆動する駆動モータの駆動軸と前記第一ロッドとを、前記駆動軸に対応する駆動軸孔を有した基端部と、前記第一ロッドの連係孔に対応する連係ピンを有した先端部と、同先端部側を開口してコ字状に形成した収容部とからなる駆動リンクにより、前記第一ロッドに設けた突片を前記収容部に摺動可能に収容して連係し、前記第一係止片に前記係止部を係止し、前記第二係止片の取付孔を挿通したねじにより前記ねじ孔に螺着して前記支持板を前記吹出口に固定し、
前記ブッシュおよび前記ロッドを、前記吹出口の上面と前記支持板との間に収容した構成となっている。
【０００９】
また、前記軸孔および前記支軸に、少なくとも一つの平坦部を設けて嵌合した構成となっている。
【００１０】
また、前記駆動軸孔および前記駆動軸に、少なくとも一つの平坦部を設けて嵌合した構成となっている。
【００１１】
また、前記第一係止片に対応する前記係止部を凸状に形成し、前記第二係止片の取付孔に対応する前記ねじ孔を略水平状に穿設し、前記第一係止片に前記凸状の係止部を係止し、前記取付孔を挿通したねじを前記ねじ孔に螺着して前記支持板を前記吹出口に固定するようにした構成となっている。
【００１２】
また、前記接続手段が、前記第一ロッドの先端部下面に突出させた接続片と、前記第二ロッドの一端に設けられて前記第一ロッドの先端部をほぼ面一状に収容し、前記接続片に対応する接続孔を備え、上下面がほぼ平行な弾性を有する略Ｕ字状断面の収容部とからなり、同収容部に、同収容部の一部を弾性変形させながら前記第一ロッドの先端部を収容し、前記接続片を前記接続孔に挿入して前記第一ロッドと前記第二ロッドとを接続するようにした構成となっている。
【００１３】
また、前記接続片を略矩形状に形成する一方、同接続片に対応して、前記接続孔を略矩形状に形成した構成となっている。
【００１４】
また、前記収容部の上下面を、下面に比して上面を薄肉状に形成した構成となっている。
【００１５】
また、前記第一ロッドの先端部上面の一側に、先端を低くした傾斜面を形成した構成となっている。
【００１６】
また、前記第一ロッドの先端部の他側に、前記収容部下面の他側に当接するフランジを垂下した構成となっている。
【００１７】
また、前記規制片と前記接続片と前記フランジとを前記第一ロッドと一体的に形成し、前記規制片と前記収容部とを前記第二ロッドと一体的に形成した構成となっている。
【００１８】
また、前記保持手段が、前記アームの先端部を延出して、同アームの上部にほぼ平行に折曲形成した弾性を有する保持片からなり、同保持片を弾性変形させながら前記第一ロッドおよび前記第二ロッドを収容し、前記アームと前記保持片とで摺動自在に挟持して保持するようにした構成となっている。
【００１９】
また、前記保持片に、前記連結ピンの先端に対向する貫通孔を設け、同貫通孔に前記連結ピンを挿入し、同連結ピンの先端が前記保持片の上面とほぼ面一になる高さに形成した構成となっている。
【００２０】
また、前記貫通孔を、前記連結ピンとの間に隙間を有する大径で形成した構成となっている。
【００２１】
また、前記アームと前記連結ピンと前記ストッパと前記保持片とを、弾性を有し潤滑剤を含有した合成樹脂により前記ブッシュと一体的に形成した構成となっている。
【００２２】
また、前記駆動リンクの収容部を、前記連係ピンと前記駆動軸孔との間に設け、前記第一ロッドおよび前記駆動リンクを長手方向に位置合わせし重合して前記連係ピンを前記連係孔に挿通し、同連係孔を中心に前記駆動リンクを回動して前記突片を前記収容部に収容するようにした構成となっている。
【００２３】
また、前記係止手段が、前記左右風向板群の支軸の先端部に、同支軸に比して大径で形成した傘状断面の頭部と、同頭部および前記支軸に、上部を開口して形成した略Ｕ字状のスリットとからなり、同スリットの少なくとも一側に上端を拡開にした傾斜部を設けた構成となっている。
【００２４】
また、前記頭部の周縁から係止爪を垂下する一方、同係止爪に対応して前記ブッシュの軸孔の周縁に段部を設け、同段部に前記係止爪を係止するようにした構成となっている。
【００２５】
更に、前記傾斜部を前記スリットの両側面に設けるとともに、同両傾斜部をほぼ平行にして、前記スリットの内面に対し傾斜させた構成となっている。
【００２６】
【発明の実施の形態】
以上のように構成したので、左右風向板群を回動自在に軸支するブッシュと、同左右風向板群を連結して駆動モータに連係するロッドとを吹出口に突出させることなく容易に組立できるようにし、前記駆動モータおよび前記ロッドを容易に且つ正確に連係できるようにし、また、前記ロッドを二分割し容易に組立できるようにして、製作、搬送および保管の管理等を容易にし、更に、前記ブッシュの軸孔に前記左右風向板群の支軸を容易に、且つ正確に挿入係止できるようにした空気調和機となる。
【００２７】
【実施例】
以下、本発明の実施例を図面に基づいて詳細に説明する。
図１と、図２と、図３（Ａ）乃至図３（Ｄ）と、図４（Ａ）および図４（Ｂ）と、図５（Ａ）乃至図５（Ｃ）と、図６（Ａ）乃至図６（Ｃ）と、図７（Ａ）および図７（Ｂ）と、図８（Ａ）および図８（Ｂ）と、図９（Ａ）乃至図９（Ｃ）とにおいて、１は空気調和機本体、２は同本体１に着脱可能に被せられた前面カバーと同本体１の上面部とに設けられた吸込口、３は同吸込口２と後述する吹出口とを結ぶ空気通路に設けられ、同吸込口２から吸い込まれた空気を熱交換する熱交換器、４は前記空気通路に設けられ、熱交換された空気を後述する吹出口に送出する送風ファン、５は前記熱交換器３で熱交換された空気を室内に向けて吹き出すための吹出口である。
【００２８】
前記吹出口５の上面5aには、同上面5aの後部に立設した第一係止片5bと、前部から垂下した第二係止片5cが一体的に形成されている。
【００２９】
前記第一係止片5bの上端は、後述する支持板の後部に設けた凸状の係止部を係止するようにした構成となっており、また、前記第二係止片5cには取付孔5dが設けられ、同取付孔5dを挿通したねじにより後述する支持板に穿設されたねじ孔に螺着して、後述する支持板を、前記上面5aから離間した位置に、同上面5aとほぼ平行状態で正確に固定できるようにした構成となっている。
【００３０】
６は前記吹出口５の後述する支持板に設けた透孔により回動自在に軸支された左右風向板群で、この左右風向板群６を後述するロッドで連結し、同ロッドを後述する駆動モータに連係して往復動させることにより、前記吹出口５における左右方向の風向を調節できるようにした構成となっている。
【００３１】
前記左右風向板群６の上部には支軸6aが設けられて、同支軸6aを中心に前記左右風向板群６を回動できるようにした構成となっており、また、前記支軸6aは、同支軸6aを後述するブッシュの軸孔に挿脱可能に係止するための後述する係止手段を設けて挿入係止するようにした構成となっており、
これによって、前記左右風向板群６の支軸6aは、後述するブッシュの軸孔に容易に挿入し正確に係止したのちに、後述する支持板に設けた透孔で正確に軸支できるようにした構成となっている。
【００３２】
７および８は、前記左右風向板群６の前方の前記吹出口５に、第一支軸7aおよび第二支軸8aにより回動自在に軸支されて、上下方向の風向を調節するようにした上下二枚の上下風向板である。
【００３３】
９は後述する支持板の透孔により略矩形状の軸孔9aを備えた筒状の支軸部9bが回動自在に軸支され、同支軸部9bから水平状に延出したアーム9cの上部に、前記左右風向板群６を駆動するための後述する駆動モータに連係し、相互に接続するための後述する接続手段を有して第一ロッド13-1と第二ロッド13-2とに分割されたロッド13の連結孔13-1d および13-2d を連結する連結ピン9dを備え、同連結ピン9dの側面に対向して前記ロッドに設けた略凹状の規制片13-1e および13-2e に係合して前記左右風向板群６の回動角を規制するストッパ9eを備え、前記ロッドを摺動自在に保持するための後述する保持手段を備えた複数のブッシュである。
【００３４】
前記軸孔9aは、略矩形状に形成したことにより、同軸孔9aに対応する平坦部を備えた前記左右風向板群６の支軸6aを正確に嵌合できて、前記ブッシュ９が前記ロッドにより連結されて連動し往復回動した際、前記左右風向板群６を正確に回動させて左右方向の風向を調節できるようにした構成となっている。
【００３５】
前記ブッシュ９の前記軸孔9aに前記左右風向板群６の前記支軸6aを挿入係止し、基端部に後述する駆動モータの駆動軸に対応する駆動軸孔14c を備え、先端部に前記第一ロッド13-1の連係孔13a に連係する連係ピン14a を備え、同連係ピン14a 側を開口したコ字状の収容部14b を備えた駆動リンク14によって、後述する駆動モータの駆動軸および前記第一ロッド13-1の連係孔13a に連係し、前記収容部14b に対応して前記第一ロッド13-1に設けた突片13b を同収容部14b に摺動可能に収容し、前記第一係止片5bの先端に後述する支持板の係止部を係止し、前記第二係止片5cの取付孔5dを挿通したねじにより後述する支持板に穿設したねじ孔に螺着して後述する支持板を前記吹出口５の上部に固定し、前記ブッシュ９および前記ロッド13を、前記吹出口５の上面5aと後述する支持板との間に収容するようにした構成となっており、
これによって、前記ブッシュ９および前記ロッド13を前記吹出口５に突出させることがないようにした構造となり、同吹出口５において、前記ブッシュ９および前記ロッド13による空気抵抗が生じなくなって、送風の効率が低下したり、騒音の原因になったり、または、露付の原因になってしまうことがないようにした構造となり、更に、前記ブッシュ９の前記軸孔9aに前記左右風向板群６の前記支軸6aを容易に、且つ正確に挿入係止できるようにした構造となる。
【００３６】
前記左右風向板群６を駆動するための駆動モータ12の駆動軸および前記駆動軸孔14c には、少なくとも一つの平坦部を設けて嵌合したことにより、前記駆動モータ12の駆動力を前記駆動軸孔14c に伝達して前記駆動リンク14を正確に駆動できるようにした構成となっている。
【００３７】
また、前記ブッシュ９の支軸部9bを透孔11a により回動自在に軸支し、前記吹出口５の上面5aとの間に前記ブッシュ９および前記ロッド13を収容して前記吹出口５の上部に取り付けられる支持板11は、図２で示すように、後部に前記第一係止片5bに対応する凸状の係止部11b を形成し、前部に前記第二係止片5cの取付孔5dに対応するねじ孔11c を略水平状に穿設した構成となっており、
これによって、前記係止部11b を前記第一係止片5bに係止し、前記取付孔5dを挿通したねじにより前記ねじ孔11c に螺着して、前記支持板11を前記吹出口5aの上部に、容易に、且つ正確に固定できるようにした構成となっている。
【００３８】
また、前記第一ロッド13-1と前記第二ロッド13-2とを接続するための接続手段が、図５（Ａ）乃至図５（Ｃ）で示すように、前記第一ロッド13-1の先端部下面に突出させた接続片13-1a と、前記第二ロッド13-2の一端に設けられて前記第一ロッド13-1の先端部をほぼ面一状に収容し、前記接続片13-1a に対応する接続孔13-2b を備え、上下面13-2c および13-2a がほぼ平行な弾性を有する略Ｕ字状断面の収容部とからなり、同収容部に、同収容部の一部を弾性変形させながら前記第一ロッド13-1の先端部を収容し、前記接続片13-1a を前記接続孔13-2b に挿入して前記第一ロッド13-1と前記第二ロッド13-2とを接続するようにした構成となっており、
これによって、前記左右吹出口群６を連結して回動させるための前記ロッド13は、前記第一ロッド13-1と前記第二ロッド13-2とに分割することにより、前記吹出口５のほぼ全幅にわたる長さで製作する必要がなくなり、従って、製作するための金型が安価なものになって、搬送や保管等の管理を容易にすることができるようにした構成となっている。
【００３９】
また、前記接続片13-1a を略矩形状に形成する一方、同接続片13-1a に対応して、前記接続孔13-2b を略矩形状に形成したことによって、前記第一ロッド13-1と前記第二ロッド13-2との接続部が平坦部を有した構造となり、前記ロッド13に真直性をもたせて接続できるようにした構成となっている。
【００４０】
また、前記収容部の上下面13-2c および13-2a を、同下面13-2a に比して上面13-2c を薄肉状に形成したことにより、同上面13-2c を弾性変形させながら前記第一ロッド13-1の先端部を収容し、前記接続片13-1a を前記接続孔13-2b に挿入して前記第一ロッド13-1と前記第二ロッド13-2とを容易に接続できるようにした構成となっている。
【００４１】
また、前記第一ロッド13-1の先端部上面の一側に、先端を低くした傾斜面13-1b を形成したことにより、前記上面13-2c を弾性変形させながら前記第一ロッド13-1の先端部を前記収容部に円滑に収容できるようにした構成となっている。
【００４２】
また、前記第一ロッド13-1の先端部の他側に、前記収容部下面の他側に当接するフランジ13-1c を垂下したことにより、前記第一ロッド13-1の先端部を前記収容部に収容する際、前記フランジ13-1c を前記収容部下面の他側に当接させることによって位置決めし、前記ロッド13に真直性をもたせてより正確に接続できるようにした構成となっている。
【００４３】
また、前記規制片13-1e および13-2e と前記接続片13-1a と前記フランジ13-1c とを前記第一ロッド13-1と一体的に形成し、前記規制片13-1e および13-2e と前記上下面13-2c および13-2a からなる収容部とを前記第二ロッド13-2と一体的に形成したことにより、寸法形状が精度よく仕上げられると共に、コスト的に有利な構成となっている。
【００４４】
また、前記第一ロッド13-1および前記第二ロッド13-2とを前記ブッシュ９に連係して保持するための保持手段が、図６（Ａ）乃至図６（Ｃ）と、図７（Ａ）および図７（Ｂ）とで示すように、前記アーム9cの先端部を延出して、同アーム9cの上部にほぼ平行に折曲形成した弾性を有する保持片9fからなり、同保持片9fを弾性変形させながら前記第一ロッド13-1および前記第二ロッド13-2を収容し、前記アーム9cと前記保持片9fとで摺動自在に挟持して保持するようにした構成となっており、
これによって、前記第一ロッド13-1および前記第二ロッド13-2を、前記ブッシュ９から離脱させないよう正確に保持できるようにした構成となっている。
【００４５】
また、前記保持片9fに、前記連結ピン9dの先端に対向する貫通孔9gを設け、同貫通孔9gに前記連結ピン9dを挿入し、同連結ピン9dの先端が前記保持片9fの上面とほぼ面一になる高さに形成したことにより、前記第一ロッド13-1および前記第二ロッド13-2を、前記ブッシュ９から離脱させないよう、より正確に保持できるようにした構成となっている。
【００４６】
また、前記貫通孔9gを、前記連結ピン9dとの間に隙間を有する大径で形成したことにより、前記保持片9fを弾性変形させながら前記第一ロッド13-1および前記第二ロッド13-2を収容し保持する際、前記連結ピン9dを前記貫通孔9gに接触させることなく円滑に収容し保持できるようにした構成となっている。
【００４７】
また、前記アーム9cと前記連結ピン9dと前記ストッパ9eと前記保持片9fとを、弾性を有し潤滑剤を含有した、例えばジュラコンにワックス成分を含有させたポリアセタール樹脂などの合成樹脂により前記ブッシュ９と一体的に形成したことにより、寸法形状が精度よく仕上げられると共にコスト的に有利な構成となり、また、前記第一ロッド13-1および前記第二ロッド13-2を円滑に往復動させることができるようにした構成となっている。
【００４８】
また、前記駆動リンク14の収容部14b を、前記連係ピン14a と前記駆動軸孔14c との間に設け、前記第一ロッド13-1および前記駆動リンク14を長手方向に位置合わせし重合して前記連係ピン14a を前記連係孔13a に挿通し、同連係孔13a を中心に前記駆動リンク14を回動して前記突片13b を前記収容部14b に収容するようにした構成となっており、
これによって、図８（Ａ）および図８（Ｂ）と、図９（Ａ）乃至図９（Ｃ）とで示すように、前記第一ロッド13-1を前記駆動リンク14に容易に連係できるとともに、同駆動リンク14から前記第一ロッド13-1が容易に離脱しないようにした状態で、前記駆動モータ12の駆動力を正確に伝達できるようにした構造となる。
【００４９】
また、前記左右風向板群６の前記支軸6aを前記ブッシュ９の前記軸孔9aに挿入し係止するための係止手段が、図３（Ａ）乃至図３（Ｃ）で示すように、前記左右風向板群６の前記支軸6aの先端部に、同支軸6aに比して大径で形成した前記傘状断面の頭部と、同頭部および前記支軸6aに、上部を開口して形成した略Ｕ字状のスリット6bとからなり、同スリット6bの少なくとも一側に上端を拡開にした傾斜部6cを設けた構成となっており、
これによって、前記スリット6bおよび前記傾斜部6cを利用して前記支軸6aを大きく弾性変形させることができるため、前記傘状断面の頭部を大径で形成できるようになって、前記支軸6aを前記軸孔9aに容易に挿入して正確に係止できるようにした構造となる。
【００５０】
また、図４（Ａ）および図４（Ｂ）で示すように、前記傘状断面の頭部の周縁から係止爪6dを垂下する一方、同係止爪6dに対応して前記ブッシュ９の軸孔9aの周縁に段部9hを設け、同段部9hに前記係止爪6dを係止するようにしたことにより、前記支軸6aを前記軸孔9aにより正確に係止できるようにした構成となっている。
【００５１】
更に、図３（Ｄ）と、図４（Ａ）および図４（Ｂ）とで示すように、前記傾斜部6cを前記スリット6bの両側面に設けるとともに、同両傾斜部6c' をほぼ平行にして、前記スリット6bの内面に対し傾斜させたことにより、前記支軸6aをより大きく弾性変形させることができるため、前記傘状断面の頭部をより大径で形成できるようになって、前記支軸6aを前記軸孔9aに容易に挿入してより正確に係止できるようにした構造となる。
【００５２】
以上の構成により、図１と、図２と、図３（Ａ）と図３（Ｄ）と、図４（Ａ）および図４（Ｂ）と、図５（Ａ）乃至図５（Ｃ）と、図６（Ａ）乃至図６（Ｃ）と、図７（Ａ）および図７（Ｂ）と、図８（Ａ）および図８（Ｂ）と、図９（Ａ）乃至図９（Ｃ）とで示すように、前記透孔11a に、前記左右風向板群６の支軸を挿入した前記ブッシュ９を挿入して回動自在に軸支し、前記第一ロッド13-1および前記第二ロッド13-2からなる前記ロッド13により前記ブッシュ９を介して前記左右風向板群６を連結し、前記駆動モータ12に連係した前記第一ロッド13-1により前記ブッシュ９を介して前記左右風向板群６を駆動し回動するようにした構造となり、前記支持板11の後部に設けた凸状の係止部11b を前記第一係止片5bに係止し、次に、前記取付孔5dを挿通したねじにより前記ねじ孔11c に螺着して前記支持板11を前記吹出口５の上部に固定し、前記ブッシュ９および前記ロッド13などを前記吹出口５に突出させることなく、前記左右風向板群６、前記ブッシュ９、前記ロッド13および前記支持板11などを容易に組立できるようにした構造となり、前記左右風向板群６の回動または停止角度が狂わないようにした空気調和機となる。
【００５３】
また、前記左右風向板群６を駆動し回動するための前記駆動モータ12および前記ロッド13を、容易に、且つ、離脱しないよう正確に連係できるようにした空気調和機となる。
【００５４】
更に、前記ロッド13を前記第一ロッド13-1と前記第二ロッド13-2とに分割したことにより、製作のための金型費が安価となり、搬送および保管等の管理を容易にした空気調和機となる。
【００５５】
【発明の効果】
以上のように本発明によると、左右風向板群を回動自在に軸支するブッシュと、同左右風向板群を連結して駆動モータに連係するロッドとを吹出口に突出させることなく容易に組立できるようにし、前記駆動モータおよび前記ロッドを容易に且つ正確に連係できるようにし、また、前記ロッドを二分割し容易に組立できるようにして、製作、搬送および保管の管理等を容易にし、更に、前記左右風向板群の支軸を前記ブッシュの軸孔9aに容易に挿入して正確に係止できるようにした空気調和機となる。
【図面の簡単な説明】
【図１】本発明による空気調和機の断面図である。
【図２】本発明による空気調和機の要部断面図である。
【図３】本発明による空気調和機の一実施例を示す要部説明図で、（Ａ）および（Ｂ）は分解斜視図であり、（Ｃ）は左右風向板群の支軸の一例を示し、（Ｄ）は他の例を示す。
【図４】本発明による空気調和機の他の実施例を示す要部説明図で、（Ａ）は分解斜視図であり、（Ｂ）は挿入係止状態を示す図である。
【図５】本発明による空気調和機のロッドを示す要部説明図で、（Ａ）は分解斜視図であり、（Ｂ）は接続中の断面図であり、（Ｃ）は接続後の断面図である。
【図６】本発明による空気調和機のブッシュおよびロッドを示す要部説明図で、（Ａ）はブッシュの斜視図であり、（Ｂ）は接続前の斜視図であり、（Ｃ）は接続後の斜視図である。
【図７】本発明による空気調和機のブッシュおよびロッドを示す要部断面図で、（Ａ）は接続前の説明図であり、（Ｂ）は接続後の説明図である。
【図８】本発明による空気調和機の駆動リンクおよび第一ロッドを示す要部説明図で、（Ａ）は接続前の斜視図であり、（Ｂ）は接続後の側面図および平面図である。
【図９】図７による第一ロッドおよび駆動リンクと駆動装置との関係を示した説明図で、（Ａ）は左右風向板群が中心位置にある時の関係を示し、（Ｂ）は左右風向板群を一方に回動した時の関係を示し、（Ｃ）は左右風向板群を他方に回動した時の関係を示す。
【図１０】従来例による空気調和機の説明図で、（Ａ）は断面図であり、（Ｂ）は要部断面図である。
【図１１】従来例による空気調和機の要部説明図である。
【符号の説明】
１  空気調和機本体
２  吸込口
３  熱交換器
４  送風ファン
５  吹出口
5a  上面
5b  第一係止片
5c  第二係止片
5d  取付孔
６  左右風向板群
6a  左右風向板群の支軸
6b  スリット
6c，6c'   スリットの傾斜部
6d  係止爪
７  上部の上下風向板
7a  上部の上下風向板の支軸
８  下部の上下風向板
8a  下部の上下風向板の支軸
９  ブッシュ
9a  軸孔
9b  支軸部
9c  アーム
9d  連結ピン
9e  ストッパ
9f  保持片
9g  貫通孔
9h  段部
11  支持板
11a   透孔
11b   凸状の係止部
11c   ねじ孔
12  駆動モータ
13  ロッド
13-1  第一ロッド
13-1a   接続片
13-1b   傾斜面
13-1c   フランジ
13-1d   連結孔
13-1e   規制片
13-2  第二ロッド
13-2a   収容部の下面
13-2b   接続孔
13-2c   収容部の上面
13-2d   連結孔
13-2e   規制片
13a   連係孔
13b   突片
14  駆動リンク
14-1  組立後の向きを示した駆動リンク
14-2  組立時の向きを示した駆動リンク
14a   連係ピン
14b   収容部
14c   駆動軸孔
【図１】
0003663817.tif 000002
【図２】
0003663817.tif 000003
【図３】
0003663817.tif 000004
【図４】
0003663817.tif 000005
【図５】
0003663817.tif 000006
【図６】
0003663817.tif 000007
【図７】
0003663817.tif 000008
【図８】
0003663817.tif 000009
【図９】
0003663817.tif 000010
【図１０】
0003663817.tif 000011
【図１１】
0003663817.tif 000012